【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
遊技領域の外周の少なくとも一部を区画する区画部を有する区画部材と、前記区画部よりも外方に配設され、光を照射する照射部と、を備える遊技機であって、
前記照射部から照射される光の少なくとも一部は前記区画部よりも背面側を進行し、前記遊技領域に配設される所定の入球領域へ入球した遊技球の通過経路に照射され、
前記区画部材は、光透過性を有して構成されることを特徴とする遊技機。
【請求項２】
前記区画部材は、遊技球の転動面を備えることを特徴とする請求項１記載の遊技機。
【手続補正２】
【補正対象書類名】明細書
【補正対象項目名】０００２
【補正方法】変更
【補正の内容】
【０００２】
パチンコ機等の遊技機において、正面視で遊技領域の内方に配置され遊技領域の背面側から光を照射する照射部を備え、その照射部により演出を行う遊技機がある（特許文献１）。
【手続補正３】
【補正対象書類名】明細書
【補正対象項目名】０００４
【補正方法】変更
【補正の内容】
【０００４】
しかしながら、上述した従来の遊技機では、照射部から照射される光の見せ方に関して改良の余地があるという問題点があった。
【手続補正４】
【補正対象書類名】明細書
【補正対象項目名】０００５
【補正方法】変更
【補正の内容】
【０００５】
本発明は、上記例示した問題点を解決するためになされたものであり、照射部から照射される光の見せ方を改良できる遊技機を提供することを目的とする。
【手続補正５】
【補正対象書類名】明細書
【補正対象項目名】０００６
【補正方法】変更
【補正の内容】
【０００６】
この目的を達成するために本発明の遊技機は、遊技領域の外周の少なくとも一部を区画する区画部を有する区画部材と、前記区画部よりも外方に配設され、光を照射する照射部と、を備える遊技機であって、前記照射部から照射される光の少なくとも一部は前記区画部よりも背面側を進行し、前記遊技領域に配設される所定の入球領域へ入球した遊技球の通過経路に照射され、前記区画部材は、光透過性を有して構成される。
【手続補正６】
【補正対象書類名】明細書
【補正対象項目名】０００９
【補正方法】変更
【補正の内容】
【０００９】
請求項１記載の遊技機によれば、照射部から照射される光の見せ方を改良することができる。
【手続補正７】
【補正対象書類名】明細書
【補正対象項目名】００１０
【補正方法】変更
【補正の内容】
【００１０】
請求項２記載の遊技機によれば、請求項１記載の遊技機の奏する効果に加え、区画部材に沿って遊技球を転動させることができる。
【手続補正８】
【補正対象書類名】明細書
【補正対象項目名】０７６８
【補正方法】変更
【補正の内容】
【０７６８】
遊技機Ａ１からＡ５，Ｂ１からＢ６，Ｃ１からＣ６，Ｄ１からＤ８，Ｅ１からＥ１５のいずれかにおいて、前記遊技機はパチンコ遊技機とスロットマシンとを融合させたものであることを特徴とする遊技機Ｆ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機において、正面視で遊技領域の内方に配置され遊技領域の背面側から光を照射する照射装置を備え、その照射装置により演出を行う遊技機がある（例えば、特許文献１：特開２０１２−０８１０３１号公報）。
しかしながら、上述した従来の遊技機では、照射装置の見せ方に関して改良の余地があるという問題点があった。
本技術的思想は、上記例示した問題点を解決するためになされたものであり、照射装置の見せ方を改良できる遊技機を提供することを目的とする。
＜手段＞
この目的を達成するために、技術的思想１記載の遊技機は、遊技領域の外枠を形成するレール部材と、前記レール部材の外方に配設されると共に前記レール部材の内方へ光を照射する照射装置と、を備える遊技機であって、前記照射装置から照射される光は前記レール部材の背面側を進行する。
技術的思想２記載の遊技機は、技術的思想１記載の遊技機において、前記照射装置から照射される光は球が入賞する大入賞口へ向けて照射され、その大入賞口の外縁に、前記照射装置から照射される光の進行方向を正面側へ向く方向へ変化させる方向変化部が形成される。
技術的思想３記載の遊技機は、技術的思想２記載の遊技機において、前記大入賞口への球の流路を閉鎖する閉鎖状態および前記大入賞口への球の流路を開放する開放状態を形成可能とされると共に前記大入賞口の外縁を形成する上蓋部材を備え、その上蓋部材は、前記方向変化部を備え、前記上蓋部材が前記閉鎖状態を形成するか前記開放状態を形成するかいずれか一方の状態において、前記方向変化部に前記照射装置から照射される光が到達する。
＜効果＞
技術的思想１記載の遊技機によれば、照射装置の見せ方を改良することができる。
技術的思想２記載の遊技機によれば、技術的思想１記載の遊技機の奏する効果に加え、照射装置から照射される光と大入賞口とを関連づけた見せ方を行うことができる。
技術的思想３記載の遊技機によれば、技術的思想２記載の遊技機の奏する効果に加え、大入賞口の動作を利用して、照射装置から照射される光の見せ方を改良することができる。
【手続補正９】
【補正対象書類名】明細書
【補正対象項目名】０７６９
【補正方法】変更
【補正の内容】
【０７６９】
１０                                  パチンコ機（遊技機）
１３、８０１３                        遊技盤
６１                                  内レール（レール部材、区画部材の一部）
６２                                  外レール（レール部材、区画部材の一部）
６５ａ                                特定入賞口（大入賞口）
８１                                  第３図柄表示装置（液晶表示装置）
２１０                                背面ケース
３１１ｃ                              球流しリブ（球向き調整部）
３１４                                アウト口（第１アウト口、第２アウト口）
３２０                                前板部材（区画部材の一部）
３２１ａ                              球流しリブ（球向き調整部）
３３１ｃ                              光照射装置（照射装置）
３３２                                移動上蓋部材（上蓋部材）
３３２ａ１ｆ                          前側傾斜側面（方向変化部）
３３２ａ３                            案内リブ（リブの一部）
３３２ｃ                              中心リブ（リブの一部）
４１０                                本体部材（移動部材、第１移動部材）
４１６                                軸支部（第１支持部）
４２１                                揺動ベース部材（第２移動部材の一部）
４２１ｃ                              挿通軸部（一方の端部）
４２２                                装飾部材（第２移動部材の一部）
４２３、５４２３                      連結部材
４２３ｂ                              屈曲部（中間部）
４２３ｃ                              軸支棒（第２支持部）
４２３ｅ                              スライド軸部（他方の端部）
４２４、５４２４                      案内板（ベース部材）
４２４ｂ、４４２４ｂ                  案内孔（案内経路）
４３０                                首振り部材（補助部材）
４４０                                脚部材（スライド機構部の一部）
４６０                                駆動装置
４８０、９４８０                      配線案内アーム（配線補助部材）
４８１、９４８１                      第１案内アーム（腕部材）
４８１ａ                              板状腕部（連結棒部の一部、側壁部）
４８１ａ１                            切り欠き部（凹設部）
４８１ｂ                              一側筒状部（支持部）
４８１ｃ                              他側筒状部（支持部）
４８１ｃ１                            拡径部（第２非接触部）
４８１ｄ                              添え部（連結棒部の一部、側壁部）
４８１ｄ１                            円弧状添え部（壁部）
４８１ｅ                              底部（連結棒部の一部、底部）
４８１ｅ２                            他側底部（軸底部）
４８２、９４８２                      第２案内アーム（腕部材）
４８２ａ                              板状腕部（連結棒部の一部、側壁部）
４８２ａ１                            円弧状板部（壁部）
４８２ａ２                            切り欠き部（凹設部）
４８２ｂ                              一側筒状部（支持部）
４８２ｂ１                            縮径部（第１非接触部）
４８２ｃ                              他側筒状部（支持部）
４８２ｄ                              添え部（連結棒部の一部、側壁部）
４８２ｅ                              底部（連結棒部の一部、底部）
４８２ｅ１                            一側底部（軸底部）
４８３                                第３案内アーム（腕部材）
５１０、３５１０                      ベース部材（ベース板）
５２０、２５２０、３５２０、７５２０  駆動側アーム部材（腕部材）
５２３                                ギア部（受動ギア部）
５２３ａ                              傘部
５２５                                カラー部材（小面積部材）
５２５ａ                              本体部（本体円）
５２８、２５２８、７５２８            橋架け部材
５２８ａ、７５２８ａ                  第１橋架け部材（他方の橋架け部材）
５２８ａ２                            挿通部（固定部）
５２８ａ３                            補助突部（回り止めピン部）
５２８ａ４                            リブ部（突設部）
５２８ｂ、７５２８ｂ                  第２橋架け部材（一方の橋架け部材）
５２８ｂ２                            挿通部（固定部）
５２８ｂ３                            補助突部（回り止めピン部）
５２８ｂ４                            リブ部（突設部）
５３０、７５３０                      従動側アーム部材（腕部材）
５４０                                移動部材
５５０                                駆動装置
５５３                                伝達ギア
５５３ａ                              第１ギア部
５５３ｂ                              第２ギア部
３５２３ｂ                            張出部（支え部）
４４２４ｃ                            凹設部（制動部）
５４２５ｂ２                          第２傾斜面（制動部）
６４８０                              配線案内スライド（配線補助部材）
８０１３ｃ                            方向変化部
８６１０                              光照射装置（照射装置）
９４８１ｄ１                          嵌め合い窪み（嵌め合い窪み）
９４８１ｆ                            脱着正面係止部材（正面係止部材）
９４８１ｆ２                          嵌め合い腕部（腕部）
９４８１ｇ                            滑り止め板部（位置ずれ抑制部）
９４８１ｈ                            他側補助底部（延設部）
９４８２ｆ                            張出正面係止部（延設部）
９４８２ｇ                            滑り止め板部（位置ずれ抑制部）
Ｃ                                    カラー部材（蓋部材）
Ｎ                                    リブ部（位置ずれ抑制部）
Ｗ                                    配線